(57)【要約】【課題】上下段差を有するプロテクタ内へのワイヤハーネス挿通作業を容易にする。【解決手段】長さ方向に上下段差を有する断面凹形状のプロテクタ本体内に電線を挿通する方法であって、ワイヤハーネス組立用の作業台より立設した受け治具に上記プロテクタ本体を載置し、該プロテクタ本体の一端部に、該プロテクタの各段部にそれぞれ上記作業台より押さえ治具を突出させ、該押さえ治具の上部に設ける押込部をプロテクタ本体の開口上部に位置させて、該プロテクタ本体内にワイヤハーネスを構成する電線群を挿通する際に、上記押さえ治具の押込部で上記電線群がプロテクタ本体内より浮き上がらないように規制している。【選択図】  図３
2004172021.tif 000002
【特許請求の範囲】
【請求項１】
長さ方向に上下段差を有する断面凹形状のプロテクタ本体内に電線を挿通する方法であって、
ワイヤハーネス組立用の作業台より立設した受け治具に上記プロテクタ本体を載置し、該プロテクタ本体の一端部に、該プロテクタの各段部にそれぞれ上記作業台より押さえ治具を突出させ、該押さえ治具の上部に設ける押込部をプロテクタ本体の開口上部に位置させて、該プロテクタ本体内にワイヤハーネスを構成する電線群を挿通する際に、上記押さえ治具の押込部で上記電線群がプロテクタ本体内より浮き上がらないように規制していることを特徴とするプロテクタへのワイヤハーネス挿通方法。
【請求項２】
上記電線群の少なくとも上記プロテクタから引き出す箇所にコルゲートチューブを外装し、上記プロテクタ本体の底壁および両側壁の内面より上記コルゲートチューブの谷部に嵌合するＵ形状のリブを間隔をあけて突設し、コルゲートチューブの長さ方向を位置決め保持すると共に、上記プロテクタの側壁内面の上記リブに挟まれた位置で且つ上記リブの上端位置以下の高さ位置に係止爪を突設し、該係止爪を上記コルゲートチューブの外周面に押し当ててコルゲートチューブの抜け止めをしている請求項１に記載のプロテクタへのワイヤハーネス挿通方法。
【請求項３】
ワイヤハーネス組立用の作業台上に、プロテクタ支持部の高さを相違させた受け治具を立設し、該受け治具により長さ方向に上下段差を有するプロテクタ本体を保持させ、該プロテクタ本体の各段部の一側方にそれぞれ押さえ治具を上記作業台より立設し、該押さえ治具の基軸の上部に押込部を起倒自在に連結し、該押込部を倒すとプロテクタ本体の開口上部に位置される構成としていることを特徴とするプロテクタへのワイヤハーネス挿通用装置。
【発明の詳細な説明】
【０００１】
【発明が属する技術分野】
本発明は、プロテクタへのワイヤハーネス挿通方法および装置に関し、詳しくは、段差を有するプロテクタ内に挿通するワイヤハーネスの浮き上がりを防止して作業性を高めるものである。
【０００２】
【従来の技術】
従来、自動車に配索するワイヤハーネスを挿通するプロテクタに関し、本出願人は先に、図１６に示すプロテクタへの電線収容方法を提供している。（特開平７−２４５８４６号参照）このプロテクタへの電線収容方法は、断面凹形状で、かつ、その両側壁の所定位置に切欠部１ａを形成したプロテクタ本体１内に電線ｗを収容し、プロテクタ本体１の両側の切欠部１ａに対応する位置に配置した一対の引掛け金具２間にゴムバンド３を架け渡して、切欠部１ａからプロテクタ本体１内に挿入されたゴムバンド３によってプロテクタ本体１内の電線ｗを押さえ付けて浮き上がらないようにし、この状態でプロテクタ本体１にカバー４を被せ、最後に切欠部１ａからゴムバンド３を引き抜いている。
【０００３】
【特許文献１】
特開平７−２４５８４６号公報
【０００４】
【発明が解決しようとする課題】
しかしながら、上記プロテクタへの電線収容方法であると、プロテクタが上下段差を有する場合、プロテクタ内に挿通するワイヤハーネスは元の直線状態に戻ろうとするため、ゴムバンドが伸びてしまい、ワイヤハーネスをプロテクタ内に挿入しきれず、ワイヤハーネスが浮き上がってしまう。この状態で、プロテクタに蓋を結合するには、浮き上がったワイヤハーネスを作業員が手でプロテクタ内に押さえ込みながら結合作業を行わなければならず、作業性が悪いという問題がある。
【０００５】
本発明は上記問題に鑑みてなされたものであり、上下段差を有するプロテクタ内へのワイヤハーネス挿通作業を容易にすることを課題としている。
【０００６】
【課題を解決するための手段】
上記課題を解決するため、本発明は、長さ方向に上下段差を有する断面凹形状のプロテクタ本体内に電線を挿通する方法であって、
ワイヤハーネス組立用の作業台より立設した受け治具に上記プロテクタ本体を載置し、該プロテクタ本体の一端部に、該プロテクタの各段部にそれぞれ上記作業台より押さえ治具を突出させ、該押さえ治具の上部に設ける押込部をプロテクタ本体の開口上部に位置させて、該プロテクタ本体内にワイヤハーネスを構成する電線群を挿通する際に、上記押さえ治具の押込部で上記電線群がプロテクタ本体内より浮き上がらないように規制していることを特徴とするプロテクタへのワイヤハーネス挿通方法を提供している。
【０００７】
また、本発明は上記挿通方法に用いる装置として、ワイヤハーネス組立用の作業台上に、プロテクタ支持部の高さを相違させた受け治具を立設し、該受け治具により長さ方向に上下段差を有するプロテクタ本体を保持させ、該プロテクタ本体の各段部の一側方にそれぞれ押さえ治具を上記作業台より立設し、該押さえ治具の基軸の上部に押込部を起倒自在に連結し、該押込部を倒すとプロテクタ本体の開口上部に位置される構成としていることを特徴とするプロテクタへのワイヤハーネス挿通用装置を提供している。
【０００８】
本発明によれば、上下段差を有するプロテクタ本体にワイヤハーネスを挿通する際、段差毎に順次ワイヤハーネスを屈曲させ、屈曲させた部位の側方に位置する押さえ治具の上側の押込部をプロテクタ側に倒すと、屈曲形態を保持できる。
このように、段差を有するプロテクタ本体内で、順次、ワイヤハーネスを段差で屈曲させ、該屈曲状態を押さえ治具で保持しながら、プロテクタ本体内部にワイヤハーネスを挿通していくと、作業員はワイヤハーネスを手で押さえて、直線状態に戻ろうとするのを阻止しながらプロテクタ本体内にワイヤハーネスを挿通させる必要がなくなる。よって、ワイヤハーネスの挿通作業性を良くなると共に、プロテクタ内に挿通させるワイヤハーネスの長さを設計通りに保持することができる。
このように押さえ治具でワイヤハーネスの浮き上がりを防止した状態で、プロテクタ本体の端部より突出したテープ巻き舌片にワイヤハーネスをテープ巻き固定すると、テープ巻き作業も容易となる。かつ、プロテクタ本体に蓋を被せる時に押さえ治具の押込部を起立させても、ワイヤハーネスは屈曲状態に保持できる。
【０００９】
また、上記テープ巻き舌片にテープを巻き付けてワイヤハーネスをプロテクタに固定する方法に代えて、上記電線群の少なくとも上記プロテクタから引き出す箇所にコルゲートチューブを外装し、上記プロテクタ本体の底壁および両側壁の内面より上記コルゲートチューブの谷部に嵌合するＵ形状のリブを間隔をあけて突設し、コルゲートチューブの長さ方向を位置決め保持すると共に、上記プロテクタの側壁内面の上記リブに挟まれた位置で且つ上記リブの上端位置以下の高さ位置に係止爪を突設し、該係止爪を上記コルゲートチューブの外周面に押し当ててコルゲートチューブの抜け止めをしてもよい。
上記方法でもワイヤハーネスを容易にプロテクタに位置決め固定することができる。
【００１０】
上記したプロテクタ本体にワイヤハーネスを挿通してから押さえ治具の押込部をプロテクタ本体側に倒してワイヤハーネスを押さえる方法に代えて、ワイヤハーネスに被せる蓋の一側壁部に切欠を設け、受け治具の押込部をプロテクタ本体側に倒す際に、ワイヤハーネスに当接させ、押込部をプロテクタ本体側に倒す作業と同時にワイヤハーネスをプロテクタ本体内に挿通させてもよい。この場合、挿通後に蓋を閉じ、切欠を設けていない側へと引き出せばよい。この場合、押さえ治具の押込部でワイヤハーネスを押さえ込んだ状態でプロテクタ本体に蓋を被せることが出来る。
【００１１】
【発明の実施の形態】
以下、本発明の実施の形態を図面を参照して説明する。
図１乃至図８は、本発明の第１実施形態を示し、長さ方向に上下段差を有するプロテクタ１０はプロテクタ本体１１とプロテクタ本体１１の上面開口を閉鎖する蓋１２とからなる。
【００１２】
図１に示すように、プロテクタ本体１１は、底壁１１ａと両側壁１１ｂとからなる断面凹形状であり、底壁１１ａと両側壁１１ｂに囲まれた内部空間ＳをワイヤハーネスＷ／Ｈの挿通箇所としている。該プロテクタ本体１１は、その長さ方向に段部１１ｃと傾斜部１１ｄとを交互に備え、上下段差を有している。プロテクタ本体１１の内周面には、長さ方向の両端近傍に、所要の間隔をあけてコルゲートチューブ３０の谷部に嵌合する係止リブ１１ｆ、１１ｈを突設している。リブ１１ｆ、１１ｈは断面Ｕ形状とし、両側壁１１ｂの上端部まで延在させると共に、コルゲートチューブ３０の谷部に嵌合する高さ及び幅に設定している。また、上記リブ１１ｆ、１１ｈの間には、リブ１１ｆ、１１ｈの上端より若干下方位置から係止爪１１ｇ、１１ｉを内側に向けて突設している。これら係止爪１１ｇ、１１ｉの上面を下方傾斜させると共に下面を上方傾斜させて断面Ｖ形状としている。段部１１ｃの両側壁１１ｂ外面には、蓋１２のロック片１２ｅを挿入係止するロック枠１１ｅを突設している。
【００１３】
図２に示すように、プロテクタ本体１１の上面開口を閉鎖する蓋１２は、上壁１２ａと両側壁１２ｂとからなる断面凹形状であり、プロテクタ本体１１と同様、その長さ方向に段部１２ｃと傾斜部１２ｄとを交互に備え、上下段差を有している。上壁１２ａの内面には、押さえ突起１２ｆを突設し、該押さえ突起１２ｆの先端面は円弧状とし、蓋１２の幅方向の中央位置、かつ、上記係止リブ１１ｆ、１１ｈの間に対向する位置に設けている。また、段部１２ｃの両側壁１２ｂ外面には、プロテクタ本体１１のロック枠１１ｅに挿入係止するロック片１２ｅを突設している。
【００１４】
図３は、プロテクタ１０へのワイヤハーネス挿通に用いる装置２０を示し、該装置２０はワイヤハーネス組立用の作業台２１よりプロテクタ１０を載置する受け治具２２とワイヤハーネスＷ／Ｈをプロテクタ本体１１の内部空間Ｓに押さえ込む押さえ治具２３を立設している。
【００１５】
受け治具２２は、軸２２ａ上に底壁２２ｂ−４と両側壁２２ｂ−３からなる断面凹形状のプロテクタ支持部２２ｂを設け、該プロテクタ支持部２２ｂは、プロテクタ本体１１の底壁１１ａの底面に沿う形状とし、段部２２ｂ−１と傾斜部２２ｂ−２とをプロテクタ支持部２２ｂの長さ方向に交互に設けて上下段差を有している。
【００１６】
押さえ治具２３は、受け治具２２の一側部で、かつ、受け治具２２にプロテクタ本体１１を載置した状態で、プロテクタ本体１１の段部１１ｃに対向する位置に設けている。中位置の段部１１ｃに対向する押さえ治具２３Ａと低位置の段部１１ｃに対向する押さえ治具２３Ｂは、それぞれ基軸２３ａに対して押込部２３ｂを起倒自在に連結し、図４に示すように、該押込部２３ｂを受け治具２２側に倒すと、受け治具２２に載置したプロテクタ本体１１の側壁１１ｂの上端面に当接する設定としている。また、押込部２３ｂの長さは、受け治具２２側に倒した状態で、押込部２３ｂの先端部２３ｂ−１が遠方側の側壁１１ｂに届くように設定している。
【００１７】
次に、上記装置２０を用いたプロテクタ１０へのワイヤハーネス挿通方法について説明する。
まず、図５（Ｂ）に示すように、装置２０の受け治具２２にプロテクタ本体１１を載置する。次いで、図６（Ａ）に示すように、高位置の段部１１ｃから中位置の段部１１ｃにかけて底壁１１ａに沿わせるようにして内部空間Ｓにテープ巻きしていない複数の電線群からなるワイヤハーネスＷ／Ｈを挿通し、図６（Ｂ）に示すように、押さえ治具２３Ａの押込部２３ｂをプロテクタ本体１１側に倒して、ワイヤハーネスＷ／Ｈを中位置の段部１１ｃの内部空間Ｓに押さえ込む。同様に、図７（Ａ）に示すように、中位置の段部１１ｃから低位置の段部１１ｃにかけてワイヤハーネスＷ／Ｈを挿通し、図７（Ｂ）に示すように、押さえ治具２３Ｂの押込部２３ｂをプロテクタ本体１１側に倒して、ワイヤハーネスＷ／Ｈを低位置の段部１１ｃの内部空間Ｓに押さえ込む。
【００１８】
上記方法により、プロテクタ本体１１の内部空間ＳにワイヤハーネスＷ／Ｈを挿通した後、図７（Ｃ）に示すように、ワイヤハーネスの所要箇所に山部と谷部とを連続してなるコルゲートチューブ３０を取り付け、プロテクタ本体１１の係止リブ１１ｆ、１１ｈと該コルゲートチューブ３０の谷部とを嵌合し、係止爪１１ｇ、１１ｉをコルゲートチューブ３０に当接させて、ワイヤハーネスＷ／Ｈをプロテクタ本体１１に位置決め固定している。その後、押さえ治具２３の押込部２３ｂを起立させて、図８に示すように、プロテクタ本体１１と蓋１２とをロック結合している。最後に、ワイヤハーネスＷ／Ｈを挿通したプロテクタ１０を上方へ持ち上げて受け治具２２からプロテクタ１０を取り出している。
【００１９】
上記構成とすると、上下段差を有するプロテクタ本体１１にワイヤハーネスＷ／Ｈを挿通する際、段差毎に順次ワイヤハーネスＷ／Ｈを屈曲させ、屈曲させた部位の側方に位置する押さえ治具２３の上側の押込部２３ｂをプロテクタ１０側に倒すと、屈曲形態を保持できる。よって、ワイヤハーネスＷ／Ｈの挿通作業性が良くなると共に、プロテクタ１０内に挿通させるワイヤハーネスＷ／Ｈの長さを設計通りに保持することができる。
このように押さえ治具２３でワイヤハーネスＷ／Ｈの浮き上がりを防止した状態で、プロテクタ本体１１の端部に設けた係止リブ１１ｆ、１１ｈに電線群に外装したコルゲートチューブ３０の谷部を嵌合するので、ワイヤハーネスＷ／Ｈをプロテクタ本体１１に容易に固定することができる。かつ、プロテクタ本体１１に蓋１２を被せる時に押さえ治具２３の押込部２３ｂを起立させても、ワイヤハーネスＷ／Ｈは屈曲状態に保持できる。
【００２０】
図９乃至図１５は、本発明の第２実施形態を示し、プロテクタ１０’はプロテクタ本体１１’と該プロテクタ本体１１’の上面開口を閉鎖する蓋１２’とからなる。
【００２１】
図９に示すように、プロテクタ本体１１’は、底壁１１ａ’と両側壁１１ｂ’とからなる断面凹形状であり、底壁１１ａ’と両側壁１１ｂ’に囲まれた内部空間Ｓ’をワイヤハーネスＷ／Ｈ’の挿通箇所としている。該プロテクタ本体１１’は、その長さ方向に段部１１ｃ’と傾斜部１１ｄ’とを交互に備え、上下段差を有している。  また、プロテクタ本体１１’の長さ方向の両端には底壁１１ａ’からテープ巻用舌片１１ｆ’と１１ｇ’とを突設している。段部１１ｃ’の両側壁１１ｂ’外面には、蓋１２’のロック片１２ｅ’を挿入係止するロック枠１１ｅ’を突設している。
【００２２】
図１０に示すように、プロテクタ本体１１’の上面開口を閉鎖する蓋１２’は、上壁部１２ａ’と両側壁１２ｂ’とからなる断面凹形状であり、プロテクタ本体１１と同様、その長さ方向に段部１２ｃ’と傾斜部１２ｄ’とを交互に備え、上下段差を有している。
また、ワイヤハーネス挿通作業の際、押さえ治具２３’側に位置する側壁１２ｂ’には、押さえ治具２３’引き抜き用の切欠１２ｆ’を設けている。この切欠１２ｆ’は、中位置の段部１２ｃ−２’と低位置の段部１２ｃ−３’の側壁１２ｂ’に設けており、段部１２ｃ−２’の切欠１２ｆ−１’は、高位置の段部１２ｃ−１’と段部１２ｃ−２’を連結する傾斜部１２ｄ−１’近傍に設ける一方、段部１２ｃ−３’の切欠１２ｆ−２’は、段部１２ｃ−２’と段部１２ｃ−３’を連結する傾斜部１２ｄ−２’近傍に設けている。段部１２ｃ’の両側壁１２ｂ’外面には、プロテクタ本体１１のロック枠１１ｅに挿入係止するロック片１２ｅ’を突設している。
【００２３】
図１１は、プロテクタ１０へのワイヤハーネス挿通に用いる装置２０’を示し、該装置２０’はワイヤハーネス組立用の作業台２１’よりプロテクタ１０’を載置する受け治具２２’とワイヤハーネスＷ／Ｈをプロテクタ本体１１の内部空間Ｓに押さえ込む押さえ治具２３’を立設している。
【００２４】
受け治具２２’は、軸２２ａ’上にプロテクタ支持部２２ｂ’を設け、該プロテクタ支持部２２ｂ’は、プロテクタ本体１１の底壁１１ａの底面に沿う形状とし、段部２２ｂ−１’と傾斜部２２ｂ−２’とをプロテクタ支持部２２ｂ’の長さ方向に交互に設けて上下段差を有している。また、プロテクタ支持部２２ｂ’には、押さえ治具２３’側にのみ側壁２２ｂ−３’を設けている。
【００２５】
押さえ治具２３’は、受け治具２２’の一側部で、かつ、受け治具２２’にプロテクタ１０’を載置した状態で、蓋１２’の側壁１２ｂ’に設けた切欠１２ｆ’に対向する位置に設けている。切欠１２ｆ−１’に対向する押さえ治具２３Ａ’と切欠１２ｆ−２’に対向する押さえ治具２３Ｂ’は、それぞれ基軸２３ａ’に対して押込部２３ｂ’を起倒自在に連結し、図１２に示すように、該押込部２３ｂ’を受け治具２２’側に倒すと、受け治具２２’に載置したプロテクタ本体１１の側壁１１ｂの上端面に当接する設定としている。また、押込部２３ｂ’の長さは、受け治具２２’側に倒した状態で、押込部２３ｂ’の先端部２３ｂ−１’がプロテクタ本体１１’の内部空間Ｓ’上に位置し、遠方側の側壁１１ｂ’に届かないように設定している。
【００２６】
次に、上記装置２０’を用いたプロテクタ１０’へのワイヤハーネス挿通方法について説明する。
まず、装置２０’の受け治具２２’にプロテクタ本体１１’を載置する。次いで、図１３（Ａ）に示すように、高位置の段部１１ｃ’の内部空間Ｓ’から複数の電線群をテープ巻きしたワイヤハーネスＷ／Ｈ’を挿通し、図１４に示すように、中位置の段部１１ｃ’に対向する押さえ治具２３Ａ’の押込部２３ｂ’をワイヤハーネスＷ／Ｈ’に当接させながらプロテクタ本体１１’側に倒して、図１３（Ｂ）に示すように、ワイヤハーネスＷ／Ｈ’を中位置の段部１１ｃ’の内部空間Ｓ’に挿通する。同様に、図１３（Ｃ）に示すように、低位置の段部１１ｃ’に対向する押さえ治具２３Ｂ’の押込部２３ｂ’もプロテクタ本体１１’側に倒して、ワイヤハーネスＷ／Ｈ’を低位置の段部１１ｃ’の内部空間Ｓ’に挿通する。
【００２７】
上記方法により、プロテクタ本体１１’の内部空間Ｓ’にワイヤハーネスＷ／Ｈ’を挿通した後、プロテクタ本体１１’のテープ巻用舌片１１ｆ’と１１ｇ’にワイヤハーネスＷ／Ｈ’と共にテープＴを巻き付け、ワイヤハーネスＷ／Ｈ’をプロテクタ本体１１’に位置決め固定している。その後、図１５（Ａ）に示すように、蓋１２’の切欠１２ｆ−１’、１２ｆ−２’をそれぞれ押さえ治具２３Ａ’、２３Ｂ’に対向させて、蓋１２’をプロテクタ本体１１’の上方から被せ、蓋１２’のロック片１２ｅ’をプロテクタ本体１１’のロック枠１１ｅ’に挿入係止して、図１５（Ｂ）に示すように、プロテクタ本体１１’と蓋１２’とをロック結合している。このとき、押さえ治具２３’の押込部２３ｂ’が蓋１２’の切欠１２ｆ’を通ってプロテクタ１０’内に挿入されている。最後に、ワイヤハーネスＷ／Ｈ’を挿通したプロテクタ１０’を押さえ治具２３’と反対方向に引き出し、プロテクタ１０’から押さえ治具２３’の押込部２３ｂ’を引き抜いている。
【００２８】
上記構成とすると、プロテクタ１０’を載置する受け治具２２’の一側部に押さえ治具２３’を突出させ、該押さえ治具２３’の押込部２３ｂ’をプロテクタ１０’側に倒すと、プロテクタ１０’に挿通するワイヤハーネスＷ／Ｈ’を下方に屈曲させて、ワイヤハーネスＷ／Ｈ’をプロテクタ本体１１’の内部空間Ｓ’に挿通することができる。この状態で、プロテクタ本体１１’の上方から蓋１２’を被せることにより上記プロテクタ１０’へのワイヤハーネス挿通作業を容易にすることができる。
このように押さえ治具２３’でワイヤハーネスＷ／Ｈ’の浮き上がりを防止した状態で、プロテクタ本体１１’の端部より突出したテープ巻き舌片１１ｆ’、１１ｇ’にワイヤハーネスＷ／Ｈ’をテープ巻き固定すると、テープ巻き作業も容易となる。かつ、プロテクタ本体１１’に蓋１２’を被せる時に押さえ治具２３’の押込部２３ｂ’を起立させても、ワイヤハーネスＷ／Ｈ’は屈曲状態に保持できる。
【００２９】
なお、上記実施形態では、押さえ治具をワイヤハーネスに当接させながら倒すことにより、ワイヤハーネスをプロテクタ本体の内部空間に挿入しているが、上記第１実施形態のように、あらかじめ、作業員がワイヤハーネスをプロテクタ本体の内部空間に挿入しておき、その後、押さえ治具を倒してワイヤハーネスを内部空間に押さえ込むようにしてもよい。
【００３０】
図１６は、上記第２実施形態の変形例を示し、押さえ治具２３’の押込部２３ｂ’にワイヤハーネス保持用の突起２３ｃ’が２つ突出している。突起２３ｃ’は、押込部２３ｂ’をプロテクタ本体１１’側に倒した状態で、プロテクタ本体１１’の内部空間Ｓ内に収まる位置で、かつ、垂直方向に突出している。押込部２３ｂ’をプロテクタ本体１１’側に倒すと、この２つの突起２３ｃ’によりワイヤハーネスＷ／Ｈ’が挟持され、挟持した状態でワイヤハーネスＷ／Ｈ’がプロテクタ本体１１’の内部空間Ｓ’に挿入される。
これにより確実にワイヤハーネスＷ／Ｈ’をプロテクタ本体１１’の内部空間Ｓ’に挿入することができる。
なお、他の構成は上記第１実施形態または第２実施形態と同様のため、説明を省略する。上記第２実施形態と同様、ワイヤハーネス挿通後に押さえ治具の押込部をプロテクタ内から引き抜く場合には、プロテクタ本体の側壁にも切欠を設けている。
【００３１】
【発明の効果】
以上の説明より明らかなように、本発明によれば、上下段差を有するプロテクタに作業員が手によりワイヤハーネスを屈曲させて挿通させた後に、プロテクタを載置する受け治具の一側部に突出させた押さえ治具の押込部をプロテクタ側に倒すことにより、浮き上がって直線状態に戻ろうとするワイヤハーネスをプロテクタ内に押さえ込むことができる。もしくは、押さえ治具の押込部をプロテクタ側に倒し、押込部をワイヤハーネスに当接させることにより、ワイヤハーネスを下方に屈曲させて、プロテクタに挿通することができる。よって、ワイヤハーネスの挿通作業性が良くなると共に、プロテクタ内に挿通させるワイヤハーネスの長さを設計通りに保持することができる。
【００３２】
このように押さえ治具でワイヤハーネスの浮き上がりを防止した状態で、プロテクタ本体の端部に設けた係止リブにワイヤハーネスに外装したコルゲートチューブを嵌合すると、プロテクタへのワイヤハーネスの取付作業が容易となる。また、プロテクタ本体の端部より突出したテープ巻き舌片にワイヤハーネスをテープ巻き固定すると、テープ巻き作業も容易となる。さらに、プロテクタ本体に蓋を被せる作業も容易にすることができる。
【図面の簡単な説明】
【図１】第１実施形態のプロテクタ本体を示す斜視図である。
【図２】第１実施形態の蓋を示す斜視図である。
【図３】プロテクタへワイヤハーネスを挿通する装置を示す斜視図である。
【図４】プロテクタ本体と押さえ治具との位置関係を示す図面である。
【図５】（Ａ）は装置の正面図、（Ｂ）は装置にプロテクタ本体を載置した状態を示す正面図である。
【図６】（Ａ）（Ｂ）はプロテクタ本体へワイヤハーネスを挿通する過程を示す図面である。
【図７】（Ａ）〜（Ｃ）はプロテクタ本体へワイヤハーネスを挿通する過程を示す図面である。
【図８】（Ａ）、（Ｂ）はプロテクタ本体に蓋を取り付ける過程を示す図面である。
【図９】第２実施形態のプロテクタ本体を示す斜視図である。
【図１０】第２実施形態の蓋を示す斜視図である。
【図１１】プロテクタ本体へワイヤハーネスを挿通する装置を示す斜視図である。
【図１２】プロテクタ本体と押さえ治具との位置関係を示す図面である。
【図１３】（Ａ）〜（Ｃ）はプロテクタ本体へワイヤハーネスを挿通する過程を示す図面である。
【図１４】（Ａ）〜（Ｃ）は押さえ治具によりワイヤハーネスをプロテクタ本体に挿入する過程を示す図面である。
【図１５】（Ａ）、（Ｂ）はプロテクタ本体に蓋を取り付ける過程を示す図面である。
【図１６】（Ａ）〜（Ｃ）は第２実施形態の変形例の押さえ治具によりワイヤハーネスをプロテクタ本体に挿入する過程を示す図面である。
【図１７】従来例を示す図面である。
【符号の説明】
１０  プロテクタ
１１  プロテクタ本体
１１ｃ  段部
１１ｄ  傾斜部
１２  蓋
１２ｃ  段部
１２ｄ  傾斜部
１２ｆ’  切欠
２０  装置
２２  受け治具
２２ｂ  プロテクタ支持部
２２ｂ−１  段部
２２ｂ−２  傾斜部
２３  押さえ治具
２３ｂ  押込部
３０  コルゲートチューブ
Ｗ／Ｈ  ワイヤハーネス
【図１】
2004172021.tif 000003
【図２】
2004172021.tif 000004
【図３】
2004172021.tif 000005
【図４】
2004172021.tif 000006
【図５】
2004172021.tif 000007
【図６】
2004172021.tif 000008
【図７】
2004172021.tif 000009
【図８】
2004172021.tif 000010
【図９】
2004172021.tif 000011
【図１０】
2004172021.tif 000012
【図１１】
2004172021.tif 000013
【図１２】
2004172021.tif 000014
【図１３】
2004172021.tif 000015
【図１４】
2004172021.tif 000016
【図１５】
2004172021.tif 000017
【図１６】
2004172021.tif 000018
【図１７】
2004172021.tif 000019